(57)【要約】【課題】  外出先や移動時の学習において、あらゆる環境下での学習を可能にする。【解決手段】  インターネット・携帯サイトに接続可能な携帯電話を所有するユーザーは、各携帯会社対応サイトにアクセスし、リンク先の一問一答学習システムサーバに蓄積されている大学入試過去問題や国家資格試験問題を前記携帯電話を使って、応用的操作や文字入力は一切おこなわずに学習する。それにより、短時間・小スペース・小荷物での学習が可能となるとともに、あらゆる煩わしさから解消されることから集中力や理解力が増し、効果的な学習があらゆる環境下で可能となる。【選択図】図２
2006018208.tif 000002
【特許請求の範囲】
【請求項１】
インターネット・携帯サイトに接続可能な携帯電話を所有するユーザーが、大学入試過去問題集・解答・解説や国家資格試験問題集・解答・解説が蓄積されているサーバを有する提供事業者の所有するサイトにアクセスし、前記携帯電話で一切の文字入力をせず、カーソルの移動で複数の解答の中から正解を選択、大学入試過去問題や国家資格試験問題を解く。選択された解答に正誤判定が下され、正解に至るまで複数回解答を選択し、その後の解説で偶然正解に至った場合にも、解法や関連内容・暗記方法などのコンテンツの内容により問題に対する理解度が高まると共に、問題によって平均正解率などを参考にして他者との比較、及び傾向から得意不得意な教科・科目・問題形式などを読み取り、学習計画・指導計画の基準を計る形式をとった携帯サイトアクセス型一問一答学習システム。
【請求項２】
請求項１記載の学習システムから、インターネット・携帯サイトに接続可能な携帯電話を所有するユーザーが、大学入試過去問題集・解答・解説や国家資格試験問題集・解答・解説の一部を前記携帯電話にダウンロードし、サイトにアクセスせずに学習することができ、パケット通信をおこなわない為、外部から通話・メール等の送受信が可能な携帯ダウンロード型一問一答学習システム。
【請求項３】
請求項１記載の学習システムと請求項２記載の学習システムの両方を合せ持つ携帯サイトアクセス・ダウンロード選択型一問一答学習システム。
【発明の詳細な説明】
【技術分野】
【０００１】  本発明は、インターネット・携帯サイトに接続可能な携帯電話から提携事業者が所有する各携帯会社対応サイトにアクセスし、通常の学習方法に必要な参考書や教科書・テキスト等を必要とせずに前述の携帯電話のみで、机上以外のあらゆる環境下においても、大学入試過去問題集や国家資格試験問題集で学習の時間に費やすことのできる携帯サイトを介した一問一答学習システムに関する。
【背景技術】
【０００２】  従来の外出先や移動時の学習において、長時間をかけて行う事は非常に困難な場合が多く、そのわずかな時間の為に参考書や教科書・テキストなどをカバンやバックに携帯を強いられる。また移動時、特に電車内でのカバンからの出し入れやページをめくる行為は困難な場合も多く、集中した学習という観念からは懸け離れ、学習成果は気休め程度と言わざるを得ないのは事実である。
【発明の開示】
【発明が解決しようとする課題】
【０００３】  ユザーは従来、外出先や移動時の学習の際に重い教科書・参考書・テキストを持ち歩き外での学習は肉体的にハードであり、また、電車等の混んだ所での学習する苦痛は計り知れないものがあった。【０００４】  以上に述べた従来の外出先や移動時の学習方法は、机上での学習方法の延長線上にあり、補助教材や自作の携帯用ノートなどは、適したものとは言えず、短時間・小スペース・小荷物に対応するものではなく、基本的に学習は教科書・参考書・テキスト等の有形教材で行う傾向が非常に強い。【０００５】  通信システムによる学習も開発が進んでいるが、あくまでもパソコン用のサイトのコンテンツ形式で作成されており、学習環境を選ぶ形となっている。【０００６】  本発明は、以上の外出先や移動時の学習において有していた問題を解決しようとするものであり、インターネット・携帯サイトに接続可能な携帯電話を使用し、大学入試過去問題集・解答・解説と国家資格試験問題集・解答・解説が一問一答形式で蓄積された学習システムサーバにリンクしている各携帯会社対応サイトにアクセスすることにより、前記の携帯電話を使用してあらゆる環境下での学習を可能にするものである。
【課題を解決するための手段】
【０００７】  そして、本発明は上記目的を達成するために、各携帯会社対応サイトを制作し、インターネット・携帯サイトに接続可能な携帯電話のみのアクセスにすることにより、応用的操作や文字入力を一切おこなわないようにしたものである。【０００８】  また、第２の課題解決手段は、学習システムを一問一答形式にしたことにより、前記の携帯電話操作とあわせて、一問に対する解答まで１分〜３分、長くても５分以内で終了することができるようにしたものである。
【発明の効果】
【０００９】  前述したように本発明の一問一答学習システムは、短時間・小スペース・小荷物であらゆる環境下で学習を可能にする。【００１０】  また学習システム内のコンテンツは、必ず正解まで導き出し、集中力を高めるようなサイトの作りになっており、その後の解説によって学習の理解度が高まる。
【発明の実施するための最良の形態】
【００１１】  以下、本発明の実施の形態に基づき具体化した実施例を図１〜図３を追って説明する。
【００１２】  図１において、インターネット・携帯サイトに接続可能な携帯電話を所有するユーザー１は、各キャリアに対応した携帯会社対応サイト２にアクセスし、携帯サイト提供事業者３が所有する一問一答学習システムサーバ４に蓄積されている大学入試過去問題や国家資格試験問題で学習する。
【００１３】  次に図２において、ユーザーが各キャリアのサイトにアクセスし、入会手続きをして前記の問題で学習・理解をして終了するまでを図示している。
【００１４】  前記の携帯電話を所有するユーザーは、各携帯会社対応サイト５にアクセスし、非会員ユザー７と会員ユザー１７に判別される。非会員ユザー７は、前記のサイトにおいて、非認証８となり、一問一答学習システム６内で、非会員ページ９から、サンプルページ１０を参照した後に、サンプル問題集・解答・解説１１で、大学入試過去問題や国家資格試験問題でプレ学習を行い、一問一答学習システム６の主旨と効果と便利性を理解し、入会意識が高まった時点で、次のサイト内コンテンツの確認１２、会員サイト・課金システムの説明１３を経て入会と同時に課金が開始されることを理解した上で、入会１５をする。
【００１５】  非会員ユーザー７が、最初から入会意識がある上で、非会員ページに９に進んだ場合は、前記の１０、１１の行程を抜かして、サイト内コンテンツの確認１２、会員サイト・課金システムの説明１３に進み入会１５することも可能。
【００１６】  入会１５を経て、会員ユーザー１７となった時点から、各携帯会社対応サイト５から、各キャリア課金開始１４となり、月額使用料が発生する。
【００１７】  会員ユーザー１７は、前記のサイトにアクセスすると自動個人認証１８によって、アクセスの際に、パスワードやユーザー名などを登録・入力することなく、会員ページ１６に進む。
【００１８】  会員ページ１６で、大学入試過去問題１９か国家資格試験問題２０のどちらか、自分の学習内容に沿った問題を選択し、国家資格試験問題２０を選択した場合は、数ある国家資格の中からユーザーが目指す国家資格を選択する。その際にＭＹ  ＳＴＵＤＹに登録２５をおこなうと、次回アクセスから、会員ページ１６から登録しているＭＹ  ＳＴＵＤＹ２６に直接サイト内を移動でき、一問一答学習開始２７、解答・解説２８、正答率の確認２９の操作のみで、１分〜３分、長くても５分以内で、学習ができ、さらに理解度を深める事できる。
【００１９】  図２において会員ページ１６から大学入試過去問題１９を選択した場合、図３で説明すると、３１でまず、志望大学の選択をおこない、３２で学部選択をおこなう。大学によって単科大学であったり、学部ごとに試験が分かれていない場合もあり、その場合は、直接３３の年度選択の画面に直接進むことができる。
【００２０】  ３３では、過去３年分の大学入試過去問題が蓄積されており、新しい年度の問題が追加される度に古い年度の問題は削除される。
【００２１】  ３３で年度選択をおこなった後、問題に進む前に、ＭＹ  ＳＴＵＤＹに登録画面３６が表示される。ここで登録をおこなうと、前記の国家資格試験問題と同様に会員ページ１６からＭＹ  ＳＴＵＤＹ２６に煩わしい操作をおこなわずに進むことができるようになる。３４は、ＭＹ  ＳＴＵＤＹの画面であり、最大２０のＭＹ  ＳＴＵＤＹを登録することが可能となっている。また学習の達成度により、削除・追加が常に可能となっており、ステップを踏んでレベルアップが可能となる。
【００２２】  ３５で、一問一答学習をおこなう、解答はあくまでもプルダウン・決定のシンプルな操作方法で、文字入力は一切ない。また、学習理解度によって問題を飛ばし、次の問題に進むことができ、無駄な時間を省くことができる。３５で選択した解答次第で、３７正解、３８不正解が表示され、３８の不正解の場合は、解説は表示されず、再解答を促す。それにより、必ず正解を導き出し、解説で理解度をアップすることにより、短時間で、効率良い学習をおこなうことができる。
【図面の簡単な説明】
【００２３】
【図１】一問一答学習システムの概念図
【図２】一問一答学習システムの実施形態図
【図３】問題選択から解答までのイメージを含めたフロー図
【符号の説明】
【００２４】１  インターネット・携帯サイトに接続可能な携帯電話を所有するユーザー
２  携帯会社対応サイト
３  携帯サイト提供事業者
４  一問一答学習システム
５  各携帯会社対応サイト
６  一問一答学習システム
７  非会員ユーザー
８  非認証
９  非会員ページ
１０サンプルページ
１１サンプル問題集・解答・解説
１２サイト内コンテンツの確認
１３会員サイト・課金システムの説明
１４各キャリア課金開始
１５入会
１６会員ページ
１７会員ユーザー
１８自動個人認証
１９大学入試過去問題
２０国家資格試験問題
２１大学・学部選択
２２国家資格選択
２３年度選択
２４教科選択
２５ＭＹ  ＳＴＵＤＹに登録
２６ＭＹ  ＳＴＵＤＹ
２７一問一答学習開始
２８解答・解説
２９正答率の確認
３０終了
３１大学選択画面
３２学部選択画面
３３年度選択画面
３４ＭＹ  ＳＴＵＤＹ画面
３５問題・学習画面
３６ＭＹ  ＳＴＵＤＹ登録画面
３７正解画面
３８不正解画面
【図１】
2006018208.tif 000003
【図２】
2006018208.tif 000004
【図３】
2006018208.tif 000005